(57)【要約】【課題】  救命発信の電源として電池やバッテリーを用いることなく、バネ類に蓄えられる機械的エネルギーを利用するため、電源が消耗しあるいはそれを使い尽くすようなおそれもなく、確実に救助を求めることができる救命発信装置を提供する。【解決手段】  ハンドルを回転して機械エネルギーとして蓄えた力を利用する発電装置と、その電力により作動する救命の発信装置とを備え、発電装置については、機械エネルギーとして力を蓄えるために、バネ類が巻かれている巻戻りドラムに並列してそれからの巻取りドラムをハンドルと同軸に設け、巻取りドラムまたは巻戻しドラムの回転軸に発電装置を戻り回転のみが伝達されるように接続し、さらに、その戻り回転を制御する変速装置と、バネ類の巻取りを自動的にロックするロック兼解除スイッチ機構とを具備した。【選択図】    図１
2005354823.tif 000002
【特許請求の範囲】
【請求項１】
ハンドルを回転して機械エネルギーとして蓄えた力を利用する発電装置と、その電力により作動する救命の発信装置とを備え、発電装置については、機械エネルギーとして力を蓄えるために、バネ類が巻かれている巻戻りドラムに並列してそれからの巻取りドラムをハンドルと同軸に設け、巻取りドラムまたは巻戻しドラムの回転軸に発電装置を戻り回転のみが伝達されるように接続し、さらに、その戻り回転を制御する変速装置と、バネ類の巻取りを自動的にロックするロック兼解除スイッチ機構とを具備したことを特徴とする救命発信装置。
【請求項２】
変速装置が、発電装置に接続される回転軸と、ロック兼解除スイッチ機構との間に順次回転速度が高まるように大小ギアが介在して構成され、ロック兼解除スイッチ機構が、最も回転数が高まる小ギアに係合する爪を、手動または温度センサーにより外し得るように構成したことを特徴とする請求項１記載の救命発信装置。
【請求項３】
バネ類が定トルクゼンマイであることを特徴とする請求項１または２記載の救命発信装置。
【発明の詳細な説明】
【技術分野】
【０００１】
この発明は、携帯していることにより災害や災難に遭遇したいざというときに、電波、光、音等により救助を求めることがきる救命発信装置に関する。
【背景技術】
【０００２】
地震や台風、洪水、建物の倒壊などの災害、山岳や海上の災難に遭遇したときには、遭難した事実や居場所が分からないために、人命救助がなされないで終わる残念なケースがある。これを解決するために、予め携帯しておれば、遭難時に救助を求めることができる救命発信装置が提供される。
【０００３】
従来の救命発信装置は、電池またはバッテリーを電源として、電波や音声、光等の何らかの情報を発信するもので、これにより、居場所の発見がされやすくなる。また、大声や手振りなどの人体の機能を駆使して自分の存在を知らせる必要がなくなるので、いたずらに体力を消耗し力尽きるというような危険がなくなる利点がある。
【０００４】
しかし、内蔵している電池やバッテリーが自然放電によりいざという時に使用不能となっていることがある。特に、遭難の種類によっては、水の侵入により蓄電が消失しやすい。また、当初は使用できる電圧であっても、救助がはかどらないために長時間にわたって助けを求めて使用しているうちに、電圧が低下し使用できなくなることもあり、このときも同じように力尽きるまで体力を使うことになる危険がある。
【０００５】
特に、電池の場合であると、取り替える必要から、水の侵入を防ぐ構造を取ることは困難であり、可能であっても蓋の開閉を伴う密閉構造とする必要からコスト高となる。
【発明の開示】
【発明が解決しようとする課題】
【０００６】
この発明は、上記のような実情に鑑みて、救命発信の電源として電池やバッテリーを用いることなく、バネ類に蓄えられる機械的エネルギーを利用するため、電源が消耗しあるいはそれを使い尽くすようなおそれもなく、確実に救助を求めることができる救命発信装置を提供することを課題とした。
【課題を解決するための手段】
【０００７】
上記の課題を解決するために、この発明は、ハンドルを回転して機械エネルギーとして蓄えた力を利用する発電装置と、その電力により作動する救命の発信装置とを備え、発電装置については、機械エネルギーとして力を蓄えるために、バネ類が巻かれている巻戻りドラムに並列してそれからの巻取りドラムをハンドルと同軸に設け、巻取りドラムまたは巻戻しドラムの回転軸に発電装置を戻り回転のみが伝達されるように接続し、さらに、その戻り回転を制御する変速装置と、バネ類の巻取りを自動的にロックするロック兼解除スイッチ機構とを具備したことを特徴とする救命発信装置を提供するものである。
【０００８】
救命発信装置を上記のように構成したから、これを使用するには、事前にバネ類を相当数に巻き込み、機械的エネルギーとして保存しておけば、使用しない限りその機械的エネルギーは消耗しなく、必要なときにロックを解除すると、発信装置が作動し発生した電力により発信装置から救命信号が発信される。
【発明の効果】
【０００９】
以上説明したように、この発明によれば、救命発信の電源として電池やバッテリーを用いることなく、バネ類に蓄えられる機械的エネルギーを利用するため、電源が消耗しあるいは電源を使い尽くすようなおそれもなく、機械的エネルギーの追加保存も容易であり、電池の取り替え構造を伴わなく災害や災難に耐える密閉構造で安全性が高められるので、確実に救助を求めることができるようになり、また、信号の発信が継続すれば、ハンドル操作が前提と考えられ人が生きて存在する証となるという優れた効果がある。
【００１０】
機械的エネルギーの保存および出力についてのロック兼解除スイッチ機構については、手動または自動の場合が想定されるが（請求項２）、変速装置を介してその機能の作動を確実になし得る。また、バネ類が定トルクゼンマイであると（請求項３）、安定して電力が得やすい。
【発明を実施するための最良の形態】
【００１１】
次に、この発明の実施形態を図面に基づいて説明する。
【００１２】
図１ないし図５は一実施の形態を示したもので、その救命発信装置は、発電装置１と、変速装置２と、ロック兼解除スイッチ機構３と、発信装置４等から構成され、電力には定トルクゼンマイ５に蓄えられる機械的エネルギーが用いられる。そして、これらがケース７の中に納められる。
【００１３】
発電装置１は、定トルクゼンマイ５の巻取りドラム９と巻戻しドラム１０とを併設し、巻取りドラム９の回転軸１１に、カップリング１３を介して発電機１が接続される。また、その回転軸１１にはハンドル１７が取り付けられ、それがケース７の外に露出されるが、蓋８で被覆されるようになっている。
【００１４】
巻戻しドラム１０は、回転が自由になっているので、ハンドル１７により巻取りドラム９を回転すると、巻戻しドラム１０から定トルクゼンマイ５がその弾力に抗して巻きと取られ、それがロック兼解除スイッチ機構３により順次自動的にロックされ、解除すると弾力により巻き戻りが生じてそれが発電装置１および変速装置２に伝達される。ただし、この巻取り方向の回転は、発電装置１と変速装置２には伝達されないようになっている。
【００１５】
変速装置２は、定トルクゼンマイ５の巻き戻りに伴う回転軸１１の戻り速度を制御する一方、ロック兼解除スイッチ機構３、つまり回転軸１１の巻き戻りを止めるロック機構とそれを解除するスイッチ機構とを確実に作動させる役目も果たしている。したがって、変速装置２は、回転軸１１とロック兼解除スイッチ機構３との間に設けられている。
【００１６】
変速装置２の構造については、巻取りドラム９の回転軸１１を第１軸として、第２軸１９と第３軸２０を平行に設け、第１軸にワンウエイクラッチ２１を介して大ギア２２を取り付け、第２軸１９と第３軸２０とにはそれぞれ中ギア２３と小ギア２４とをそれぞれ取り付け、さらに、第２軸１９に大ギア２２と噛合するリダクションギア２７を、第３軸２０には中ギア２３と噛合するリダクションギア２８がそれぞれ取り付けられる。
【００１７】
ロック兼解除スイッチ機構３は、変速装置２のうちで定トルクゼンマイ５の力が最も弱まる（制御しやすい）小ギア２４をロックギアとしてロックレバー２９で止めたり解除したりするようにしたもので、ロックレバー２９は、Ｌ字形であって先端に小ギア２４に係る爪３０を有し、基端にはカムスイッチ３１に当接する突部３２を有するもので、屈折箇所にピン３３で揺動可能に軸支される。
【００１８】
ロックレバー２９はコイルバネ４０によりカムスイッチ３１の外周面に当接する方向に付勢され、この状態で爪３０が小ギア２４に係合してロック状態となっているが（図１の状態）、カムスイッチ３１を矢印方向に回すと、周囲の凹欠部３５に突部３２が落ち込むことにより爪３０が小ギア２４から外れ、これでロック状態が解除されて、定トルクゼンマイ５が巻き戻ることにより、回転軸１１が戻り回転して発電装置１が作動する。
【００１９】
回転軸１１の回転は、変速装置２により一定に制御される結果、安定して電力が発生し、キャパシター３６によりさらに定量化される結果、スイッチを入れると発信装置４からキャッチされやすい信号が発信される。スイッチを入れるためにカムスイッチ３１を回す摘み３８がその回転軸３９に取り付けられ、それがケース７の外に露出されている。つまり、手動スイッチの場合である。
【００２０】
図６は、火災等に遭遇した時のように、被災者に操作の余裕がないときに備えて、温度センサーによる自動スイッチの場合を示したもので、そのロック兼解除スイッチ機構３は、やゝ湾曲した可撓性板４１が基端で支持体４２に取り付けられ、可撓性板４１にはさらに湾曲したバイメタル４３が両端で接続されている。また、可撓性板４１の先端には段落４５を有する板カム４４が取り付けられている。その他、地震に遭遇したときの事項スイッチの場合もあり得る。
【００２１】
図示は省略するが、バイメタル４３はケースの外面に露出されており、加熱を受けると板カム４４が押し下がり、その段落４５にロックレバー２９の突部３２が落ち込むことにより、小ギア２４から爪３０が外れ、ロック状態が解除されるようになっている。
【００２２】
発信装置４は、例えばＳＯＳの電波を発信する装置とするときはその緊急信号を発信する電子回路を機能させる構造となす。アンテナ４７がケース７に備えられるが（図５）、光や音声が発生させる場合には、そのような構造が取られる。
【００２３】
電波信号を発信する場合には、救命発信装置に対応した受信機と対とすることが遭難者を発見しやすいことから望ましい。また、位置の特定については、人工衛星から受信するＧＰＳを利用することもできる。この場合には、その衛生からのＧＰＳの受信装置と、受信により特定された位置情報の発信装置とを具備することになる。
【００２４】
自動スイッチが採られる場合については、前述の如く、火災や地震の場合が想定され、温度センサーや振動センサーの反応により、自動的にロックを解除し緊急信号を発信する機能を備える。また、緊急の内容をやりとりできるように、通信、電話などにより双方向に会話ができる機能を搭載すれば、防災および救命の目的をより一層達成することが可能となる。
【図面の簡単な説明】
【００２５】
【図１】この発明の一実施形態の内部構造を簡略に示す説明図である。なお、図示の都合から右連続部分（矢印Ｐ）を段落して図示した。
【図２】図１のＡ−Ａ線矢視の断面図である。
【図３】図１のＢ−Ｂ線矢視の断面図である。
【図４】同救命発信装置におけるロック兼解除スイッチ機構のうちの摘みを示す正面図である。
【図５】この発明の一実施形態における救命発信装置の外観斜視図である。
【図６】他の実施形態の救命発信装置におけるロック兼解除スイッチ機構の説明図である。
【符号の説明】
【００２６】
１  発電装置
２  変速装置
３  ロック兼解除スイッチ機構
４  発信装置
５  バネ類としての定トルクゼンマイ
９  巻取りドラム
１０  巻戻しドラム
１１  回転軸
１７  ハンドル
２２  大ギア
２３  中ギア
２４  小ギア
３０  爪
３８  手動の摘み
４３  温度センサーのバイメタル
【図１】
2005354823.tif 000003
【図２】
2005354823.tif 000004
【図３】
2005354823.tif 000005
【図４】
2005354823.tif 000006
【図５】
2005354823.tif 000007
【図６】
2005354823.tif 000008